(57)【要約】【課題】複数の記憶媒体のうち小容量側の記憶媒体を有効に使用すること。【解決手段】電子カメラ１は、複数の記憶媒体５１、５２のうち選択した記憶媒体の残容量が他の記憶媒体の残容量より小さいと判定されている場合に、選択した記憶媒体と他の記憶媒体とのそれぞれに対して画像のデータの記録を開始させた上で、選択した記憶媒体の残容量が画像のデータの記録に足りる場合は選択した記憶媒体に対して画像のデータを保存し、他の記憶媒体へ記録したデータを削除するように記録手段１９を制御する制御手段１７を備える。【選択図】図１
2013172419.tif 000002
【特許請求の範囲】
【請求項１】
複数の記憶媒体の残容量をそれぞれ検出する残容量検出手段と、
前記複数の記憶媒体のうち一方を選択する操作を受付ける操作受付手段と、
前記操作受付手段における受付け操作に基づいて選択した記憶媒体の残容量が他の記憶媒体の残容量より小さいか否かを判定する判定手段と、
撮像された画像のデータを前記記憶媒体へ記録する記録手段と、
前記判定手段によって前記小さいと判定されている場合に、前記選択した記憶媒体と前記他の記憶媒体とのそれぞれに対して前記画像のデータの記録を開始させた上で、前記選択した記憶媒体の残容量が前記画像のデータの記録に足りる場合は前記選択した記憶媒体に対して前記画像のデータを保存し、前記他の記憶媒体へ記録したデータを削除するように前記記録手段を制御する制御手段と、
を備えることを特徴とする電子カメラ。
【請求項２】
請求項１に記載の電子カメラにおいて、
前記制御手段は、前記判定手段によって前記小さいと判定されている場合に、前記選択した記憶媒体と前記他の記憶媒体とのそれぞれに対して前記画像のデータの記録を開始させた上で、前記選択した記憶媒体の残容量が前記画像のデータの記録に足りない場合は前記他の記憶媒体に対して前記画像のデータを保存し、前記選択した記憶媒体へ記録したデータを削除するように前記記録手段を制御することを特徴とする電子カメラ。
【請求項３】
請求項１または２に記載の電子カメラにおいて、
前記制御手段は、前記判定手段によって前記小さいと判定されていない場合に、前記選択した記憶媒体に対して前記画像のデータの記録を開始させるように前記記録手段を制御することを特徴とする電子カメラ。
【請求項４】
請求項１〜３のいずれか一項に記載の電子カメラにおいて、
前記制御手段は、前記判定手段によって前記小さいと判定され、かつ前記選択した記憶媒体の残容量が所定量に満たない場合に、前記制御を行うことを特徴とする電子カメラ。
【請求項５】
請求項１〜４のいずれか一項に記載の電子カメラにおいて、
前記記録手段は、動画像のデータを前記記憶媒体へ記録することを特徴とする電子カメラ。
【請求項６】
請求項１〜５のいずれか一項に記載の電子カメラにおいて、
前記制御手段は、前記選択した記憶媒体に対する前記画像のデータの記録を終了してから、前記他の記憶媒体へ記録したデータを削除するように前記記録手段を制御することを特徴とする電子カメラ。
【請求項７】
請求項２〜６のいずれか一項に記載の電子カメラにおいて、
前記制御手段は、前記他の記憶媒体に対する前記画像のデータの記録を終了してから、前記選択した記憶媒体へ記録したデータを削除するように前記記録手段を制御することを特徴とする電子カメラ。
【発明の詳細な説明】
【技術分野】
【０００１】
本発明は、電子カメラに関する。
【背景技術】
【０００２】
複数の記憶媒体を装着可能な電子カメラにおいて、装着された記憶媒体の特性をそれぞれ認識し、認識した記憶媒体の特性や記録するデータの特徴に応じて記憶媒体を自動的に選択する技術が知られている（特許文献１参照）。例えば、カメラで動画モードが選択されている場合は大容量の記憶媒体を選択して画像を記録し、カメラで静止画モードが選択されている場合は小容量の記憶媒体を選択して画像を記録する。
【先行技術文献】
【特許文献】
【０００３】
【特許文献１】特開２００４−２２９１７２号公報
【発明の概要】
【発明が解決しようとする課題】
【０００４】
従来技術では、小容量側の記憶媒体へ動画像を記録可能な場合であっても大容量側の記憶媒体を選択して記録するので、小容量側の記憶媒体を有効に活用していないという問題があった。
【課題を解決するための手段】
【０００５】
本発明による電子カメラは、複数の記憶媒体の残容量をそれぞれ検出する残容量検出手段と、複数の記憶媒体のうち一方を選択する操作を受付ける操作受付手段と、操作受付手段における受付け操作に基づいて選択した記憶媒体の残容量が他の記憶媒体の残容量より小さいか否かを判定する判定手段と、撮像された画像のデータを記憶媒体へ記録する記録手段と、判定手段によって小さいと判定されている場合に、選択した記憶媒体と他の記憶媒体とのそれぞれに対して画像のデータの記録を開始させた上で、選択した記憶媒体の残容量が画像のデータの記録に足りる場合は選択した記憶媒体に対して画像のデータを保存し、他の記憶媒体へ記録したデータを削除するように記録手段を制御する制御手段と、を備えることを特徴とする。
【発明の効果】
【０００６】
本発明による電子カメラでは、複数の記憶媒体のうち小容量側の記憶媒体を有効に活用できる。
【図面の簡単な説明】
【０００７】
【図１】本発明の一実施の形態による電子カメラの構成を例示するブロック図である。
【図２】ＣＰＵが実行する動画像記録処理の流れを説明するフローチャートである。
【発明を実施するための形態】
【０００８】
以下、図面を参照して本発明を実施するための形態について説明する。図１は、本発明の一実施の形態による電子カメラ１の構成を例示するブロック図である。図１において、撮影レンズ１１は、撮像素子１２の撮像面に被写体像を結像させる。図１では、撮影レンズ１１を単レンズとして図示しているが、実際は複数のレンズ群で構成される。レンズ駆動部２１は、後述するＣＰＵ１７からの指示によって撮影レンズ１１を構成するフォーカシングレンズを光軸方向（矢印方向）に進退移動させる。
【０００９】
撮像素子１２は、ＣＭＯＳイメージセンサなどによって構成される。撮像素子１２は、結像された被写体像をアナログ撮像信号に光電変換する。Ａ／Ｄ変換部１３は、光電変換信号をデジタルデータに変換する。バッファメモリ１４は、画像データを一時的に格納する。画像処理部１５は、ＣＰＵ１７からの指示によってデジタル画像データに所定の画像処理を施す。画像処理部１５はさらに、画像データを格納した所定形式の画像ファイルを生成する。画像処理部１５は、静止画像ファイルを生成する他、動画像ファイルを生成する。
【００１０】
液晶モニタ１６は、ＣＰＵ１７からの指示に応じて、画像や操作メニュー画面を表示する。不揮発性メモリ１８は、ＣＰＵ１７が実行するプログラムや、実行処理に必要なデータなどを格納する。不揮発性メモリ１８が格納するプログラムやデータの内容は、ＣＰＵ１７からの指示によって追加、変更が可能に構成されている。ＣＰＵ１７は、制御プログラムを実行してカメラ各部に対する種々の制御を行う。
【００１１】
カードインターフェース(I/F)部１９は、ＣＰＵ１７からの指示に基づいてメモリカードに対する画像ファイルの記録やメモリカードからの画像ファイルの読出しを行う。本実施形態では、図示しない２つのカードスロットを備え、２つのメモリカード５１およびメモリカード５２を同時に装着できる。カードインターフェース(I/F)部１９は、メモリカード５１およびメモリカード５２の双方へ同一の画像ファイルを記録することも、メモリカード５１およびメモリカード５２のうち一方のみへ画像ファイルを記録することもできる。
【００１２】
メモリカード５１、メモリカード５２は、上述したカードスロットに着脱自在に取り付けられる記憶媒体である。メモリカード５１とメモリカード５２は、スロットサイズ等が異なる規格の記憶媒体であってもよいし、スロットサイズ等が同じ記憶媒体であってもかまわない。
【００１３】
操作部材２０は、メニュースイッチ、動画記録（録画）ボタン、およびシャッターボタンなどを含み、各部材の操作に応じた信号をＣＰＵ１７へ送出する。ＣＰＵ１７、不揮発性メモリ１８、カードインターフェース(I/F)部１９、バッファメモリ１４、画像処理部１５、および液晶モニタ１６は、それぞれバス２２を介して接続されている。
【００１４】
本実施形態は、残容量が異なる２つのメモリカード５１およびメモリカード５２がそれぞれスロットに装着されている場合における画像ファイルの記録に特徴を有するので、以下の説明はこの点を中心に行う。例えば、メモリカード５１の残容量がメモリカード５２の残容量より大きい場合であって、新たな画像ファイルを記録する場合に小容量側（すなわちメモリカード５２）を有効に使用して記録する。
【００１５】
図２は、ＣＰＵ１７が実行する動画像記録処理の流れを説明するフローチャートである。ＣＰＵ１７は、２つのメモリカード５１およびメモリカード５２（メモリカード５１の残容量＞メモリカード５２の残容量）がともに装着されている状態で、操作部材２０から動画記録ボタンの押下操作信号が入力されると、図２による処理を起動させる。
【００１６】
図２のステップＳ１０において、ＣＰＵ１７は、選択されている記憶媒体の残容量が大容量側か否かを判定する。ＣＰＵ１７は、例えば電源オン時やカードインターフェース(I/F)部１９でメモリカードの装着が検出された時に、カードインターフェース(I/F)部１９を介して装着されているメモリカード５１、５２へそれぞれアクセスすることによってメモリカード５１、５２でそれぞれ記録可能な容量（すなわち残容量）を検出するように構成されている。
【００１７】
また、ＣＰＵ１７は、例えばメニュー操作において、メモリカード５１およびメモリカード５２のうち画像ファイルの保存先とするメモリカードをユーザーが選択する操作を受付けるように構成されている。
【００１８】
ＣＰＵ１７は、上述したようにあらかじめ検出されているメモリカード５１およびメモリカード５２間の残容量の大小関係と、上記画像ファイルの保存先として選択されているメモリカードの情報とに基づいて判断を行い、大容量側（本例ではメモリカード５１）が選択されていると判断する場合はステップＳ１０を肯定判定してステップＳ２０へ進む。
【００１９】
一方ＣＰＵ１７は、大容量側（本例ではメモリカード５１）が選択されていると判断しない場合には、ステップＳ１０を否定判定してステップＳ４０へ進む。ステップＳ４０へ進む場合は、画像ファイルの保存先として小容量側（本例ではメモリカード５２）が選択されている場合である。
【００２０】
ステップＳ２０において、ＣＰＵ１７は、記録用の動画撮影を開始させる。具体的には、撮像素子１２における露光および光電変換信号の読出しを開始させるとともに、大容量側（メモリカード５１）に対して動画像の記録を開始させる。ＣＰＵ１７は、再び操作部材２０から動画記録ボタンの押下操作信号が入力されるまで、動画撮影を継続させる。
【００２１】
再び操作部材２０から動画記録ボタンの押下操作信号が入力されたＣＰＵ１７は、ステップＳ３０において動画撮影を終了させるとともに、大容量側（メモリカード５１）に対して動画像の記録内容を保存させる。このように、大容量側（メモリカード５１）にのみ動画像を保存して図２による処理を終了する。
【００２２】
ステップＳ１０を否定判定して進むステップＳ４０において、ＣＰＵ１７は、記録用の動画撮影を開始させる。具体的には、撮像素子１２における露光および光電変換信号の読出しを開始させるとともに、小容量側（メモリカード５２）および大容量側（メモリカード５１）の双方に対して動画像の記録を開始させる。ＣＰＵ１７は、再び操作部材２０から動画記録ボタンの押下操作信号が入力されるまで、動画撮影を継続させる。
【００２３】
ステップＳ５０において、ＣＰＵ１７は、動画像を小容量側（メモリカード５２）に保存可能か否かを判定する。例えば、再び操作部材２０から動画記録ボタンの押下操作信号が入力された場合のＣＰＵ１７は、動画撮影を終了するとともに、小容量側（メモリカード５２）に最終フレームまで動画像の記録を終了したか否かを判定する。ＣＰＵ１７は、記録を終了している場合はステップＳ５０を肯定判定してステップＳ６０へ進む。一方ＣＰＵ１７は、残容量不足によって記録途中で中断した場合にはステップＳ５０を否定判定してステップＳ８０へ進む。
【００２４】
ステップＳ６０において、ＣＰＵ１７は、小容量側（メモリカード５２）に対して動画像の記録内容を保存させてステップＳ７０へ進む。ステップＳ７０において、ＣＰＵ１７は、大容量側（メモリカード５１）に記録されている動画像を削除して図２による処理を終了する。このように、小容量側（メモリカード５２）にのみ動画像が保存される。
【００２５】
ステップＳ８０において、ＣＰＵ１７は、大容量側（メモリカード５１）に対して動画像の記録内容を保存させてステップＳ９０へ進む。ステップＳ９０において、ＣＰＵ１７は、小容量側（メモリカード５２）に記録されている動画像を削除して図２による処理を終了する。このように、大容量側（メモリカード５１）にのみ動画像が保存される。
【００２６】
以上説明した実施形態によれば、次の作用効果が得られる。
（１）電子カメラ１は、複数のメモリカード５１、５２の残容量をそれぞれ検出するＣＰＵ１７と、複数のメモリカード５１、５２のうち一方を選択する操作を受付ける操作部材２０と、操作部材２０における受付け操作に基づいて選択したメモリカードの残容量が他のメモリカードの残容量より小さいか否かを判定するＣＰＵ１７と、撮像された画像のデータをメモリカード５１、５２へ記録するカードインターフェース(I/F)部１９と、ＣＰＵ１７によって上記小さいと判定されている場合に、選択したメモリカードと他のメモリカードとのそれぞれに対して画像のデータの記録を開始させた上で、選択したメモリカードの残容量が画像のデータの記録に足りる場合は選択したメモリカードに対して画像のデータを保存し、他のメモリカードへ記録したデータを削除するようにカードインターフェース(I/F)部１９を制御するＣＰＵ１７と、を備えるように構成した。これにより、複数のメモリカード５１および５２のうち、小容量側のメモリカードを有効活用できる。また、選択したメモリカードへ適切に画像のデータを残すことができる。
【００２７】
（２）上記（１）の電子カメラ１において、ＣＰＵ１７は、上記小さいと判定している場合に、選択したメモリカードと他のメモリカードとのそれぞれに対して画像のデータの記録を開始させた上で、選択したメモリカードの残容量が画像のデータの記録に足りない場合は他のメモリカードに対して画像のデータを保存し、選択したメモリカードへ記録したデータを削除するようにカードインターフェース(I/F)部１９を制御した。これにより、選択したメモリカードの残容量が不足しても、画像データを消失することなく適切に残すことができる。また、選択したメモリカードと他のメモリカードとのそれぞれに対して画像のデータの記録を開始させておくことにより、選択したメモリカードの残容量が画像のデータの記録に不足した場合でも記録をやりなおす必要がない。
【００２８】
（３）上記電子カメラ１において、ＣＰＵ１７は、上記小さいと判定していない場合に、選択したメモリカードに対して画像のデータの記録を開始させるようにカードインターフェース(I/F)部１９を制御したので、選択したメモリカードへ適切に画像のデータを残すことができる。
【００２９】
（４）上記電子カメラ１において、カードインターフェース(I/F)部１９は、画像データとして動画像のデータをメモリカード５１、５２へ記録するので、静止画像に比べてデータサイズの大きい動画像のデータを適切に保存できる。
【００３０】
（５）上記電子カメラ１において、ＣＰＵ１７は、選択したメモリカードに対する画像のデータの記録を終了してから、他のメモリカードへ記録したデータを削除するようにカードインターフェース(I/F)部１９を制御するので、仮に、選択したメモリカードに対する画像のデータの記録が終了できなかった場合には、他のメモリカードに記録したデータを保存対象にすることができる。
【００３１】
（６）上記電子カメラ１において、ＣＰＵ１７は、他のメモリカードに対する画像のデータの記録を終了してから、選択したメモリカードへ記録したデータを削除するようにカードインターフェース(I/F)部１９を制御するので、仮に、他のメモリカードに対する画像のデータの記録が終了できなかった場合には、選択したメモリカードに記録したデータを保存対象にすることができる。
【００３２】
（変形例１）
上述した説明では、異なる記憶媒体として２つのメモリカード５１およびメモリカード５２を例示したが、メモリカードの代わりに内蔵メモリ、ハードディスクドライブ、または磁気ディスクドライブなどを用いてもよい。また、メモリカードとこれらのドライブ装置とを組合せてもよい。
【００３３】
（変形例２）
ステップＳ７０において大容量側（上記説明ではメモリカード５１）から動画像を削除するタイミング、およびステップＳ９０において小容量側（上記説明ではメモリカード５２）から動画像を削除するタイミングは、画像データを保存する側のメモリカードに対する動画像の記録を終了した後に削除するようにした。この代わりに、画像データを保存する側のメモリカードに対する動画像の記録を行っている間に削除してもよい。
【００３４】
例えば、変形例２のＣＰＵ１７は、ステップＳ５０において動画撮影中に小容量側（メモリカード５２）の残容量を監視しながら、小容量側（メモリカード５２）に動画像を最終フレーム分まで保存可能か否かを判定する。ＣＰＵ１７は、検出されている小容量側（メモリカード５２）の残容量と、記録に伴う残容量低下率とに基づいて保存不可能と判断すると（Ｓ５０を肯定判定）、画像データを保存するメモリカードを大容量側（メモリカード５１）とし、以降の動画像をメモリカード５１へ記録させる。そして、メモリカード５１へ記録している間に、小容量側（メモリカード５２）において途中まで記録した画像データを削除する。
【００３５】
（変形例３）
上述した実施形態では、動画撮影時における動画像ファイルの記録を例に説明したが、静止画撮影時において連写撮影を行う場合にも、上述した処理を適用することができる。
【００３６】
（変形例４）
以上の説明では、残容量が大きい側（メモリカード５１）が画像ファイルの保存先として選択されていない場合（ステップＳ１０を否定判定）に、ステップＳ４０以降の処理を行う例を説明した。これに代えて、残容量が小さい側（メモリカード５２）の残容量が所定量（例えば、３０分以上の動画録画時間を見込める、あるいは１００コマ以上の連写記録が見込める）以上の場合にはステップＳ２０−ステップＳ３０の処理を行い、残容量が小さい側（メモリカード５２）の残容量が上記所定量未満の場合においてステップＳ４０以降の処理を行うように構成してもよい。小容量側（メモリカード５２）の残容量が不足するおそれのない場合は処理を省略することで、ＣＰＵ１７の負担を軽減できる。
【００３７】
以上の説明はあくまで一例であり、上記の実施形態の構成に何ら限定されるものではない。
【符号の説明】
【００３８】
１…電子カメラ
１２…撮像素子
１４…バッファメモリ
１５…画像処理部
１６…液晶モニタ
１７…ＣＰＵ
１９…カードインターフェース(I/F)部
２０…操作部材
５１、５２…メモリカード
【図１】
2013172419.tif 000003
【図２】
2013172419.tif 000004